【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
分散型メッセージプロセッサアーキテクチャを有するＤｉａｍｅｔｅｒ信号伝達ルータ（ＤＳＲ）内のＤｉａｍｅｔｅｒメッセージをスクリーニングするための方法であって、  各々が少なくとも１つのＤｉａｍｅｔｅｒ機能を実行するように構成される複数のＤｉａｍｅｔｅｒメッセージプロセッサを備えるＤＳＲにおいて、
前記複数のＤｉａｍｅｔｅｒメッセージプロセッサのイングレスＤｉａｍｅｔｅｒメッセージプロセッサにおいて、ＤｉａｍｅｔｅｒピアノードからＤｉａｍｅｔｅｒメッセージを受信する工程と、
前記複数のＤｉａｍｅｔｅｒメッセージプロセッサのＤｉａｍｅｔｅｒアプリケーションメッセージプロセッサにおいて、前記受信されたＤｉａｍｅｔｅｒメッセージに関連づけられるＤｉａｍｅｔｅｒメッセージスクリーニング規則を識別する工程と、
前記複数のＤｉａｍｅｔｅｒメッセージプロセッサの前記Ｄｉａｍｅｔｅｒアプリケーションメッセージプロセッサにおいて、前記受信されたＤｉａｍｅｔｅｒメッセージに対し、前記識別されたＤｉａｍｅｔｅｒメッセージスクリーニング規則に関連づけられるスクリーニング機能を実行する工程と、を備えていることを特徴とする方法。
【請求項２】
前記Ｄｉａｍｅｔｅｒメッセージを前記イングレスＤｉａｍｅｔｅｒメッセージプロセッサから前記Ｄｉａｍｅｔｅｒアプリケーションメッセージプロセッサへ転送し、かつ前記Ｄｉａｍｅｔｅｒメッセージを前記Ｄｉａｍｅｔｅｒアプリケーションメッセージプロセッサから前記複数のＤｉａｍｅｔｅｒメッセージプロセッサのエグレスＤｉａｍｅｔｅｒメッセージプロセッサへ転送する工程を備えている、請求項１に記載の方法。
【請求項３】
前記受信されたＤｉａｍｅｔｅｒメッセージに対して前記スクリーニング機能を実行することは、前記受信されたＤｉａｍｅｔｅｒメッセージを廃棄することを含んでいることを特徴とする請求項１または２に記載の方法。
【請求項４】
前記受信されたＤｉａｍｅｔｅｒメッセージに対して前記スクリーニング機能を実行することは、前記受信されたＤｉａｍｅｔｅｒメッセージを修正しかつ前記修正されたＤｉａｍｅｔｅｒメッセージを転送することを含んでいる、請求項１〜３のいずれかに記載の方法。
【請求項５】
前記受信されたＤｉａｍｅｔｅｒメッセージを修正することは、前記受信されたＤｉａｍｅｔｅｒメッセージへ新しい情報を追加することと、前記受信されたＤｉａｍｅｔｅｒメッセージから情報を除去することのうちの少なくとも一方を含んでいる、請求項４に記載の方法。
【請求項６】
前記修正されたＤｉａｍｅｔｅｒメッセージを転送することは、前記修正されたＤｉａｍｅｔｅｒメッセージをＤｉａｍｅｔｅｒピアノードおよびホーム加入者サーバ（ＨＳＳ）ノードのうちの少なくとも一方へ転送することを含んでいる、請求項４に記載の方法。
【請求項７】
前記受信されたＤｉａｍｅｔｅｒメッセージに対して前記スクリーニング機能を実行することは、前記受信されたＤｉａｍｅｔｅｒメッセージに関するスクリーニングイベント通知メッセージを生成し、かつ前記スクリーニングイベント通知メッセージをネットワークオペレーションセンターへ通信することを含んでいる、請求項１〜６のいずれかに記載の方法。
【請求項８】
前記受信されたＤｉａｍｅｔｅｒメッセージに対して前記スクリーニング機能を実行することは、エラーメッセージを生成し、かつ前記生成されたエラーメッセージを前記Ｄｉａｍｅｔｅｒピアノードへ通信することを含んでいる、請求項１〜７のいずれかに記載の方法。
【請求項９】
前記受信されたＤｉａｍｅｔｅｒメッセージに対して前記スクリーニング機能を実行することは、前記受信されたＤｉａｍｅｔｅｒメッセージに対する関連の回答メッセージを生成し、かつ前記生成された関連の回答メッセージを前記Ｄｉａｍｅｔｅｒピアノードへ通信することを含んでいる、請求項１〜８のいずれかに記載の方法。
【請求項１０】
前記受信されたＤｉａｍｅｔｅｒメッセージに対して前記スクリーニング機能を実行することは、前記受信されたＤｉａｍｅｔｅｒメッセージを考慮して、前記識別されたＤｉａｍｅｔｅｒメッセージスクリーニング規則に関連づけられる１つまたは複数の使用または測定統計を記録または更新することを含んでいる、請求項１〜９のいずれかに記載の方法。
【請求項１１】
前記識別されたＤｉａｍｅｔｅｒメッセージスクリーニング規則は、前記Ｄｉａｍｅｔｅｒメッセージスクリーニング規則に関連づけられるＤｉａｍｅｔｅｒメッセージの最高受信速度を規定し、前記１つまたは複数の使用または測定統計を記録または更新することは、前記受信されたＤｉａｍｅｔｅｒメッセージを考慮して、前記識別されたＤｉａｍｅｔｅｒメッセージスクリーニング規則に関連づけられるＤｉａｍｅｔｅｒメッセージの現行の受信速度を調整することを含んでおり、かつ前記受信されたＤｉａｍｅｔｅｒメッセージに対して前記スクリーニング機能を実行することは、前記規定された最高受信速度を超える、前記識別されたＤｉａｍｅｔｅｒメッセージスクリーニング規則に関連づけられるＤｉａｍｅｔｅｒメッセージの前記現行の受信速度に応答して追加的なスクリーニング機能を実行することを含んでいる、請求項１０に記載の方法。
【請求項１２】
前記受信されたＤｉａｍｅｔｅｒメッセージに関連づけられる前記Ｄｉａｍｅｔｅｒメッセージスクリーニング規則を識別することは、前記受信されたＤｉａｍｅｔｅｒメッセージに関連づけられる前記Ｄｉａｍｅｔｅｒメッセージスクリーニング規則を、前記受信されたＤｉａｍｅｔｅｒメッセージの受信を媒介したＤｉａｍｅｔｅｒ接続、前記受信されたＤｉａｍｅｔｅｒメッセージがその一部であるＤｉａｍｅｔｅｒセッション、前記受信されたＤｉａｍｅｔｅｒメッセージに関連づけられる起点ホスト、前記受信されたＤｉａｍｅｔｅｒメッセージに関連づけられる起点レルム、前記受信されたＤｉａｍｅｔｅｒメッセージに関連づけられるソースインターネットプロトコル（ＩＰ）アドレス、前記受信されたＤｉａｍｅｔｅｒメッセージに関連づけられる宛先ホスト、前記受信されたＤｉａｍｅｔｅｒメッセージに関連づけられる宛先レルム、前記受信されたＤｉａｍｅｔｅｒメッセージの送信を媒介するＤｉａｍｅｔｅｒ接続、前記受信されたＤｉａｍｅｔｅｒメッセージが送信される宛先ＩＰアドレス、前記受信されたＤｉａｍｅｔｅｒメッセージに関連づけられるＤｉａｍｅｔｅｒアプリケーション識別子、前記受信されたＤｉａｍｅｔｅｒメッセージに関連づけられるＤｉａｍｅｔｅｒメッセージコマンドコード、前記受信されたＤｉａｍｅｔｅｒメッセージに関連づけられる属性値ペア（ＡＶＰ）コードおよび前記受信されたＤｉａｍｅｔｅｒメッセージに関連づけられるＡＶＰデータ値、のうちの少なくとも１つに基づいて識別を行うことを含んでいる、請求項１〜１１のいずれかに記載の方法。
【請求項１３】
分散型メッセージプロセッサアーキテクチャを有するＤｉａｍｅｔｅｒ信号伝達ルータ（ＤＳＲ）内のＤｉａｍｅｔｅｒメッセージをスクリーニングするためのシステムであって、
前記システムがＤＳＲを備えており、
当該ＤＳＲが、
ＤｉａｍｅｔｅｒピアノードからＤｉａｍｅｔｅｒメッセージを受信するように構成されるイングレスＤｉａｍｅｔｅｒメッセージプロセッサと、
前記受信されたＤｉａｍｅｔｅｒメッセージに関連づけられるＤｉａｍｅｔｅｒメッセージスクリーニング規則を識別しかつ、前記受信されたＤｉａｍｅｔｅｒメッセージに対し、前記識別されたＤｉａｍｅｔｅｒメッセージスクリーニング規則に関連づけられるスクリーニング機能を実行するように構成されているＤｉａｍｅｔｅｒアプリケーションメッセージプロセッサと、を備えていることを特徴とする、システム。
【請求項１４】
請求項１〜１２のいずれかに記載の方法をプロセッサに実行させるためのプログラム。